(57)【要約】【課題】キャビネットの幅寸法および内容積のそれぞれを確保したまま奥行き寸法を小さくすること。【解決手段】キャビネットは左側板と右側板と底板と天板と後板を有している。これら左側板〜後板のそれぞれは内板および外板相互間に真空断熱パネルを接触状態で介在してなるものであり、左右方向の幅寸法が６０ｃｍ以上で７０ｃｍ以下に設定され且つ前後方向の奥行き寸法が４５ｃｍ以上で５５ｃｍ以下に設定され且つ内容積が４００Ｌ以上で５００Ｌ以下に設定されている。【選択図】図１
2014048006.tif 000002
【特許請求の範囲】
【請求項１】
使用者の側から見て前面が開口する箱状をなすものであって、左側板と右側板と底板と天板と後板を有すると共に内部に食品が収納されるキャビネットと、
前記キャビネットの内部を冷却するための冷却器に冷媒を送る圧縮機を備え、
前記キャビネットは、左右方向の幅寸法が６０ｃｍ以上で７０ｃｍ以下に設定され且つ前後方向の奥行き寸法が４５ｃｍ以上で５５ｃｍ以下に設定され且つ内容積が４００Ｌ以上で５００Ｌ以下に設定されたものであり、
前記左側板と右側板と底板と天板と後板のそれぞれは、
前記キャビネットの内部の側に位置する内板と、
前記キャビネットの外部の側に位置する外板と、
前記内板および前記外板相互間に介在されたものであって、前記内板および前記外板のそれぞれに接触する真空断熱パネルを有していることを特徴とする冷蔵庫。
【請求項２】
前記左側板と前記右側板と前記後板のそれぞれは、相互に接合されることで一体化されていることを特徴とする請求項１に記載の冷蔵庫。
【請求項３】
前記圧縮機は、
前記キャビネットの天板の上側に配置されたものであって、左右方向から見て前記キャビネットの左側板および右側板のそれぞれの中心に比べて後側に配置されたものであることを特徴とする請求項１または２に記載の冷蔵庫。
【請求項４】
前記キャビネットの内部に設けられた冷凍室と野菜室と冷蔵室を備え、
前記野菜室および前記冷蔵室の一方は、前記冷凍室に比べて上側に配置され、
前記野菜室および前記冷蔵室の他方は、前記冷凍室に比べて下側に配置されていることを特徴とする請求項１から３のいずれかに記載の冷蔵庫。
【請求項５】
前記キャビネットの内部に設けられた冷凍室と野菜室と冷蔵室を備え、
前記冷凍室は、前記野菜室および前記冷蔵室のそれぞれに比べて下側に配置されていることを特徴とする請求項１から３のいずれかに記載の冷蔵庫。
【請求項６】
前記キャビネットの内部に設けられた冷蔵室と、
前記キャビネットに前記冷蔵室の前側に位置して設けられ、左端部の垂直な軸を中心に閉鎖状態および開放状態相互間で回動可能にされた左扉と、
前記キャビネットに前記冷蔵室の前側に位置して設けられ、右端部の垂直な軸を中心に閉鎖状態および開放状態相互間で回動可能にされた右扉を備えたことを特徴とする請求項１から５のいずれかに記載の冷蔵庫。
【発明の詳細な説明】
【技術分野】
【０００１】
実施例は冷蔵庫に関する。
【背景技術】
【０００２】
近年の冷蔵庫は左右方向の幅寸法が７０ｃｍ以下で内容積が４００Ｌ（リットル）以上のものが主流である。この冷蔵庫は前後方向の奥行き寸法が６０ｃｍ以上であり、冷蔵庫を食器棚等に並べて設置した場合に冷蔵庫が食器棚等に対して出張ることでキッチンのスペースが冷蔵庫の出張りで圧迫される。
【先行技術文献】
【特許文献】
【０００３】
【特許文献１】特開２０１０−１２２７１６号公報
【特許文献２】特開２０１０−１２２７１７号公報
【発明の概要】
【発明が解決しようとする課題】
【０００４】
従来の冷蔵庫の場合には４００Ｌ以上の内容積を確保したまま奥行き寸法を食器棚等に合わせて小さくすると、大半の家庭で設置できない幅寸法が９０ｃｍ以上の幅広なものになってしまう。
【課題を解決するための手段】
【０００５】
実施例の冷蔵庫は、使用者の側から見て前面が開口する箱状をなすものであって左側板と右側板と底板と天板と後板を有すると共に内部に食品が収納されるキャビネットと、前記キャビネットの内部を冷却するための冷却器に冷媒を送る圧縮機を備え、前記キャビネットは左右方向の幅寸法が６０ｃｍ以上で７０ｃｍ以下に設定され且つ前後方向の奥行き寸法が４５ｃｍ以上で５５ｃｍ以下に設定され且つ内容積が４００Ｌ以上で５００Ｌ以下に設定されたものであり、前記左側板と右側板と底板と天板と後板のそれぞれは前記キャビネットの内部の側に位置する内板と前記キャビネットの外部の側に位置する外板と前記内板および前記外板相互間に介在されたものであって前記内板および前記外板のそれぞれに接触する真空断熱パネルを有している。
【図面の簡単な説明】
【０００６】
【図１】実施例１を示す図（キャビネットの外観を斜め前方から示す図）
【図２】（ａ）左側板の外観を分解状態で斜め前方から示す図、（ｂ）は左側板の断面図
【図３】キャビネットの接合構造を示す断面図
【図４】冷蔵庫の内部構成を示す断面図
【図５】冷蔵庫の外観を前方から示す図
【図６】実施例２を示す図（図４相当図）
【発明を実施するための形態】
【実施例１】
【０００７】
図１のキャビネット１は前面が開口する縦長な箱状をなすものであり、左側板２と右側板３と底板４と後板５と天板６を相互に接合することで構成されている。これら左側板２〜天板６の５枚のうち左側板２と右側板３と底板４と後板５の４枚のそれぞれは平板状をなすものであり、天板６は水平な天前板部７と垂直な天中板部８と水平な天後板部９を有する段付き状をなしている。このキャビネット１は食品が収納されるものであり、内部の容積である内容積が「４００Ｌ以上で５００Ｌ以下」に設定されている。
【０００８】
図１の符号Ｌはキャビネット１の前後方向の奥行き寸法であり、図１の符号Ｗはキャビネット１の左右方向の幅寸法である。奥行き寸法Ｌはキャビネット１の後板５の後面から左側板２と右側板３と底板４と天板６のそれぞれの前面までの距離であり、「４５ｃｍ以上で５５ｃｍ以下」に設定されている。幅寸法Ｗはキャビネット１の左側板２の左側面から右側板３の右側面までの距離であり、「６０ｃｍ以上で７０ｃｍ以下」に設定されている。
【０００９】
キャビネット１の左側板２〜天板６の５枚のそれぞれは、図２に左側板２を代表して示すように、外板１０および内板１１相互間に真空断熱パネル１２を介在することで構成されている。内板１１はキャビネット１の内部の側に配置されたものである。この内板１１は合成樹脂製の板からなるものであり、厚さ寸法Ｔｉが「２ｍｍ」に設定されている。外板１０はキャビネット１の外部の側に配置されたものである。この外板１０は厚さ寸法Ｔｏが「０．５ｍｍ」の鋼板からなるものであり、外板１０の両端部には折曲部１３が形成されている。この外板１０の２つの折曲部１３のそれぞれと真空断熱パネル１２の端面との間にはシール材１４が充填される。これら２つのシール材１４のそれぞれは真空断熱パネル１２および折曲部１３相互間の隙間を塞ぐものであり、ソフトテープから構成されている。
【００１０】
真空断熱パネル１２は外板１０および内板１１のそれぞれに接着されたものであり、外板１０および内板１１のそれぞれに接触している。この真空断熱パネル１２は厚さ寸法Ｔが「２０ｍｍ以上で２５ｍｍ以下」に設定されたものであり、コア材およびガスバリア容器を有している。コア材はガラス繊維の綿状物であるグラスウールをマット状としたものであり、ガスバリア容器内に収納されている。このガスバリア容器はアルミニウム箔および合成樹脂のラミネートフィルムで製袋されたものであり、開口を通して真空排気された後に開口が閉塞されることで減圧状態とされている。
【００１１】
次の（１）式はキャビネット１の幅寸法Ｗに対する真空断熱パネル１２の厚さ寸法Ｔの割合Ｒｗであり、次の（２）式はキャビネット１の奥行き寸法Ｌに対する真空断熱パネル１２の厚さ寸法Ｔの割合Ｒｌであり、割合ＲｗおよびＲｌのそれぞれは「１０％」以下に設定されている。
【００１２】
Ｒｗ＝（２×Ｔ／Ｗ）×１００・・・・・（１）
Ｒｌ＝（Ｔ／Ｗ）×１００    ・・・・・（２）
図３は左側板２〜天板６相互間の接合構造であり、左側板２〜天板６のうち相互に隣接する２枚の板のそれぞれにはコーナー部に位置して接合板１５が接合されている。この接合板１５は左側板２〜天板６のうち相互に隣接する２枚の板間の合せ目をキャビネット１の内部の側から覆うものであり、接合板１５には断熱材ホルダ１６が固定されている。この断熱材ホルダ１６は開口部が接合板１５で塞がれたものであり、左側板２〜天板６のうち相互に隣接する２枚の板のそれぞれにソフトテープ製のシール材１７を介して押付けられている。この断熱材ホルダ１６の内部には固形状の断熱材１８が充填されており、断熱材１８は左側板２〜天板６のうち相互に隣接する２枚の板間の合せ目の断熱性を高めている。
【００１３】
キャビネット１内には、図４に示すように、上断熱仕切壁１９と下断熱仕切壁２０と仕切壁２１が固定されている。上断熱仕切壁１９および下断熱仕切壁２０のそれぞれは中空状をなす合成樹脂製のケース内に固形状の断熱材を収納することで構成された水平なものであり、上下方向に相互に離間して配置されている。仕切壁２１は合成樹脂製の平板からなる水平なものであり、上断熱仕切壁１９および下断熱仕切壁２０相互間に配置されている。
【００１４】
キャビネット１内には、図４に示すように、上から順に冷蔵室２２と製氷室２３と冷凍室２４と野菜室２５が形成されている。冷蔵室２２は上断熱仕切壁１９の上側の空間部を称するものであり、製氷室２３は上断熱仕切壁１９および仕切壁２１相互間の空間部を称するものである。冷凍室２４は仕切壁２１および下断熱仕切壁２０相互間の空間部を称するものであり、野菜室２５は下断熱仕切壁２０の下側の空間部を称するものである。これら冷蔵室２２〜野菜室２５のそれぞれは前面が開口するものであり、冷蔵室２２および製氷室２３相互間は上断熱仕切壁１９を介して熱的に遮断され、冷凍室２４および野菜室２５相互間は下断熱仕切壁２０を介して熱的に遮断されている。
【００１５】
キャビネット１には、図５に示すように、左扉２６および右扉２７が装着されている。左扉２６は左端部の垂直な軸２８を中心に閉鎖状態および開放状態相互間で回動可能にされたものであり、右扉２７は右端部の垂直な軸２９を中心に閉鎖状態および開放状態相互間で回動可能にされたものである。これら左扉２６および右扉２７のそれぞれは冷蔵室２２の前側に配置されたものであり、冷蔵室２２の前面は左扉２６および右扉２７の双方の閉鎖状態で気密状態に閉鎖されると共に左扉２６および右扉２７の双方または一方の開放状態で開放される。
【００１６】
キャビネット１には、図５に示すように、Ｉ扉３０とＦ扉３１とＶ扉３２が装着されている。Ｉ扉３０は製氷室２３の前側に配置されたものであり、Ｆ扉３１は冷凍室２４の前側に配置されたものであり、Ｖ扉３２は野菜室２５の前側に配置されたものである。これらＩ扉３０〜Ｖ扉３２のそれぞれは押込み状態および押込み状態に比べて前方の引出し状態相互間で前後方向へ直線的に移動可能にされたものであり、製氷室２３の前面はＩ扉３０の押込み状態で気密状態に閉鎖されると共にＩ扉３０の引出し状態で開放され、冷凍室２４の前面はＦ扉３１の押込み状態で気密状態に閉鎖されると共にＦ扉３１の引出し状態で開放され、野菜室２５の前面はＶ扉３２の押込み状態で気密状態に閉鎖されると共にＶ扉３２の引出し状態で開放される。
【００１７】
キャビネット１には、図４に示すように、機械室３３が形成されている。この機械室３３は左側板２と右側板３と天板６の天中板部８と天板６の天後板部９で囲まれた空間部を称するものであり、上面および後面のそれぞれが開口している。この機械室３３内には冷凍サイクルのコンプレッサ３４が固定されている。このコンプレッサ３４は前後方向から見てキャビネット１の天板６の天後板部９の上側に配置されたものであり、左右方向から見てキャビネット１の左側板２および右側板３のそれぞれの中心に比べて後側に配置されている。
【００１８】
コンプレッサ３４にはコンデンサとＦエバポレータとＲエバポレータが接続されている。これらコンデンサとＦエバポレータとＲエバポレータのそれぞれはキャビネット１内に固定されたものであり、Ｆエバポレータは製氷室２３内および冷凍室２４内のそれぞれを冷却するための冷気を生成し、Ｒエバポレータは冷蔵室２２内および野菜室２５内のそれぞれを冷却するための冷気を生成する。これらＦエバポレータおよびＲエバポレータのそれぞれは冷却器に相当し、コンプレッサ３４は圧縮機に相当する。
【００１９】
上記実施例１によれば次の効果を奏する。
キャビネット１の左側板２と右側板３と底板４と後板５と天板６のそれぞれを外板１０および内板１１相互間に真空断熱パネル１２を接触状態で介在することで構成した。このため、キャビネット１の断熱性能が向上するので、キャビネット１の幅寸法Ｗとして「６０ｃｍ以上で７０ｃｍ以下」を確保すると共に内容積として「４００Ｌ以上で５００Ｌ以下」を確保したまま奥行き寸法Ｌを「４５ｃｍ以上で５５ｃｍ以下」に設定することが可能となる。従って、冷蔵庫を食器棚等に並べて設置する場合に冷蔵庫が食器棚等に対して出張ることがなくなるので、キッチンのスペースが冷蔵庫の出張りで圧迫されることもなくなる。
【００２０】
日本人の４０代の女性の平均身長は「１５５ｃｍ」であり、日本人の４０代の平均身長の女性の手が届く範囲は奥行き「５５ｃｍ」程度である。この女性にとって冷蔵室２２内と冷凍室２３内と製氷室２４内と野菜室２５内のそれぞれの最奥部まで手が届くので、使い勝手が向上する利点もある。
【００２１】
コンプレッサ３３を天板６の天後板部９の上側で左右方向から見て左側板２および右側板３のそれぞれの中心に比べて後側に配置したので、キャビネット１の内部空間のうち上端部で後端部のスペースがコンプレッサ３３の影響で削られる。ここは使用者の手が届き難くて使用者が食品を出し入れする頻度が少ないスペースであり、キャビネット１の内部空間のうち下端部で後端部の使用者の手が届き易いスペースがコンプレッサ３３の影響で削られることがなくなる。従って、キャビネット１内の実使用上での有効なスペースが狭くなることなく、コンプレッサ３３が配置される。
【００２２】
冷蔵室２２と冷凍室２４と野菜室２５のそれぞれを上から当該順序で配置した。従って、コンプレッサ３３をキャビネット１の上端部に配置する場合および下端部に配置する場合のいずれであってもコンプレッサ３３の影響で冷凍室２３の内容積が削られることがなくなるので、冷凍室２４の内容積を大きく設定することが可能となる。
【００２３】
冷蔵室２２の前面を左扉２６および右扉２７で開閉したので、冷蔵室２２の前面を１つの扉で開閉する場合に比べて左扉２６および右扉２７のそれぞれの開放状態での前後方向の長さ寸法が短くなる。従って、キッチンに対する左扉２６および右扉２７のそれぞれの出張りが小さくなるので、キッチンを広く使用することが可能となる。
【実施例２】
【００２４】
キャビネット１内には、図６に示すように、上仕切壁４１と下仕切壁４２と断熱仕切壁４３が固定されている。上仕切壁４１および下仕切壁４２のそれぞれは合成樹脂製の平板からなる水平なものであり、上下方向に相互に離間して配置されている。断熱仕切壁４３は中空状をなす合成樹脂製のケース内に固形状の断熱材を収納することで構成された水平なものであり、上仕切壁４１および下仕切壁４２相互間に配置されている。
【００２５】
キャビネット１内には、図６に示すように、上から順に冷蔵室２２と野菜室２５と製氷室２３と冷凍室２４が形成されている。冷蔵室２２は上仕切壁４１の上側の空間部を称するものであり、キャビネット１には冷蔵室２２の前側に位置して左扉２６および右扉２７が装着されている。野菜室２５は上仕切壁４１および断熱仕切壁４３相互間の空間部を称するものであり、キャビネット１には野菜室２５の前側に位置してＶ扉３２が装着されている。製氷室２３は断熱仕切壁４３および下仕切壁４２相互間の空間部を称するものであり、キャビネット１には製氷室２３の前側に位置してＩ扉３０が装着されている。冷凍室２４は下仕切壁４２の下側の空間部を称するものであり、キャビネット１には冷凍室２４の前側に位置してＦ扉３１が装着されている。
【００２６】
上記実施例２によれば次の効果を奏する。
冷蔵室２２と野菜室２５と冷凍室２４のそれぞれを上から当該順序で配置したので、使用者のニーズに応えることができる。しかも、コンプレッサ３３をキャビネット１の上端部に配置した。従って、コンプレッサ３３の影響で冷凍室２４の内容積が削られることがなくなるので、冷凍室２４の内容積を大きく設定することが可能となる。
【００２７】
上記実施例１および２のそれぞれにおいては、キャビネット１の左側板２と右側板３と底板４と後板５と天板６のうちの２以上を１枚の板から構成しても良い。
上記実施例１および２のそれぞれにおいては、キャビネット１の底板４の下側に機械室を形成し、コンプレッサ３３を底板４の下側の機械室内に配置しても良い。
【００２８】
本発明のいくつかの実施例を説明したが、これらの実施例は例として提示したものであり、発明の範囲を限定することは意図していない。これら新規な実施例はその他の様々な例で実施されることが可能であり、発明の要旨を逸脱しない範囲内で種々の省略、置換、変更を行うことができる。これら実施例やその変更は発明の範囲や要旨に含まれると共に特許請求の範囲に記載された発明とその均等の範囲に含まれる。
【符号の説明】
【００２９】
１はキャビネット、２は左側板、３は右側板、４は底板、５は後板、６は天板、１０は外板、１１は内板、１２は真空断熱パネル、２２は冷蔵室、２４は冷凍室、２５は野菜室、２６は左扉、２７は右扉、３４はコンプレッサ（圧縮機）である。
【図１】
2014048006.tif 000003
【図２】
2014048006.tif 000004
【図３】
2014048006.tif 000005
【図４】
2014048006.tif 000006
【図５】
2014048006.tif 000007
【図６】
2014048006.tif 000008